(57)【特許請求の範囲】
【請求項１】
案内管（２）に挿着された駆動軸（３）を介して回転可能な工具を駆動する駆動原動機（１）を具備する手動式作業機械にして、案内管（２）が駆動原動機（１）のケーシング（５）内に抗振動ユニット（６）により保持され、該抗振動ユニット（６）が案内管（２）を囲む締付け金具（７）および締付け金具（７）とケーシング（５）との間に位置する弾性減衰要素（８、９）を含む作業機械において、
締付け金具（７）を形状拘束的にケーシング（５）に固定するため、
（ａ）締付け金具（７）が外方へ延びかつ互いに締付け可能な複数個の取付け具（１２）を有し、
（ｂ）ケーシング（５）が案内管（２）の方向にあるその正面側端部（１３）に取付け具（１２）の収納のための凹所（１４）を有し、
（ｃ）取付け具（１２）が締付けボルト（１６）を通すための孔（１５）を有し、
（ｄ）締付けボルト（１６）の端部（１９、２０）を収納するための少なくとも１つの開口部（１７、１８）がケーシング（５）に設けられている、
ことを特徴とする作業機械。
【請求項２】
締付け金具（７）が、縦スリット（１１）を備えたほぼ円筒状の取付スリーブ（１０）として構成され、縦スリット（１１）の側方に、半径方向に延びる２個の取付け具（１２）が設けられ、凹所（１４）がケーシング（５）の正面側端部（１３）で開口していることを特徴とする、請求項１に記載の作業機械。
【請求項３】
ケーシング（５）に、取付け具（１２）の両側に位置するようにかつ孔（１５）に対しほぼ同軸に位置するように締付けボルト（１６）を通すための各１つの前記開口部（１７、１８）が設けられていることを特徴とする、請求項２に記載の作業機械。
【請求項４】
開口部（１７、１８）に、締付けボルト（１６）の端部（１９、２０）を囲む減衰ブッシュ（２１）の形式の弾性減衰要素（９）が設けられ、減衰ブッシュ（２１）が該減衰ブッシュ（２１）に周方向に延びるように設けた軸つば（２２）により形状拘束的にケーシング（５）に固定され、そして取付け具（１２）が減衰ブッシュ（２１）の端面側（２３）および軸つば（２２）の端面側に平面的に接合していることを特徴とする、請求項３に記載の作業機械。
【請求項５】
締付けボルト（１６）がヘッド（２５）とナット（２６）を有するねじ（２４）として構成され、そして減衰ブッシュ（２１）にヘッド（２５）またはナット（２６）を収納するための各１つのスリーブ（２７）が設けられ、スリーブ（２７）が互いにほぼ平行である２つの平坦部（２８）を有し、これら平坦部の間にナット（６）が回動不可に保持され、そしてスリーブ（２７）とナット（２６）とが一体的に構成されていることを特徴とする、請求項４に記載の作業機械。
【請求項６】
スリーブ（２７）が端面側に保持スリット（２９）を有し、そしてスリーブ（２７）が一体成形の六角形（３１）の形式の回動防止装置（３０）を有することを特徴とする、請求項５に記載の作業機械。
【請求項７】
取付スリーブ（１０）が減衰スリーブ（３２）の形式の弾性減衰要素（８）により囲まれ、減衰スリーブ（３２）が取付け具（１２）を囲む凹所（３３）を有し、そして減衰スリーブ（３２）に半径方向に外方に突出しかつケーシング（５）の凹所（１４）内に突入する突部（３４）が設けられていることを特徴とする、請求項２ないし６の１つに記載の作業機械。
【請求項８】
取付スリーブ（１０）がケーシング（５）の正面側端部（１３）の指す方向に取付け具（１２）の範囲を超えて延びており、縦スリット（１１）が取付スリーブ（１０）の全長に亘り延びていることを特徴とする、請求項２ないし７の１つに記載の作業機械。
【請求項９】
締付け金具（７）が鋼板より一体的に製作されていることを特徴とする、請求項１ないし８の１つに記載の作業機械。
【請求項１０】
取付け具（１２）が補強溝（３５）を有することを特徴とする、請求項１ないし９の１つに記載の作業機械。
【請求項１１】
弾性減衰要素（８、９）が縦溝（３６、３７）を備え、これらがそれぞれ弾性減衰要素（８、９）の内側（３８）および（または）外側（３９）に設けられ、内側（３８）の縦溝（３６）が外側（３９）の縦溝（３７）に対し周方向にずれて配置されていることを特徴とする、請求項１ないし１０の１つに記載の作業機械。
【請求項１２】
弾性減衰要素（８、９）がゴムよりなることを特徴とする、請求項１ないし１１の１つに記載の作業機械。
【発明の詳細な説明】
【０００１】
【産業上の利用分野】
本発明は、請求項１の前提部に記載の構成を有する手動式作業機械に関する。
【０００２】
【従来の技術】
刈払機、エツジャー等の前記の作業機械では、駆動原動機またはそのケーシングと駆動される回転可能な工具との間に駆動軸用の比較的長い案内管が設けられている。この配置により、原動機と工具との間に比較的弱い結合が生成される。これにより、駆動原動機と駆動される工具との間の相互作用と関連して、運転中に振動の問題が生ずる。
【０００３】
このような振動の問題を回避するため、抗振動要素を用いて案内管を原動機ケーシングに結合することは周知である。このような抗振動要素により、１つには生起する振動を有効に減衰しなければならない。同時に、それにより原動機ケーシングへの案内管の確実な結合も与えられなければならない。
【０００４】
案内管の原動機側の端部に、例えば合成物質またはアルミ圧力鋳物からなる取付け具で締付け金具を取り付けて固定する例は周知である。この締付け金具に、弾性材料からなる管状減衰要素が押し込まれている。組み立てのため、案内管からなるユニットは締付け金具および減衰要素とともに原動機ケーシングの対応する収納部内に押し込められる。この場合、取付け具は正面側で原動機ケーシングを超えて突出しており、このためそれに応じて多くの構成空間を必要とする。前記の押し込み工程は費用のかかる装置を必要とし、その際組み立て状態における整列誤差をなくすことができない。例えばサービスステーションにて案内管を交換することは、対応する装置なしでは困難である。工具側で正確に挿着された案内管は、負荷が高くかつ永続的である場合原動機ケーシングに対し位置がずれまたは捩れる。この際、例えば締付け金具を合成物質で作った場合に材料が撓むとき、締付け金具と案内管との間の締め付け作用も弱まることがある。締付け金具をアルミ圧力鋳物で作った場合、この締付け金具は非常に硬くなるので、案内管にぴったりと適合させるには限定的なものとなる。
【０００５】
【発明が解決しようとする課題】
本発明は、上に述べた形式の作業機械のケーシングに案内管を振動減衰して結合することの改善、および案内管の交換性の改善を課題とする。
【０００６】
【課題を解決するための手段】
前記課題は、本発明によれば、案内管に挿着された駆動軸を介して回転可能な工具を駆動する駆動原動機を具備する手動式作業機械にして、案内管が駆動原動機のケーシング内に抗振動ユニットにより保持され、該抗振動ユニットが案内管を囲む締付け金具および締付け金具とケーシングとの間に位置する弾性減衰要素を含む作業機械において、締付け金具を形状拘束的にケーシングに固定するため、締付け金具が外方へ延びかつ互いに締付け可能な複数個の取付け具を有し、ケーシングが案内管の方向にあるその正面側端部に取付け具の収納のための凹所を有し、取付け具が締付けボルトを通すための孔を有し、締付けボルトの端部を収納するための少なくとも１つの開口部がケーシングに設けられていることにより解決される。
【０００７】
【発明の作用効果】
本発明によれば、原動機ケーシング内における高い予備応力の下にある減衰要素の押し込みを略することが可能となる。案内管および抗振動ユニットよりなるユニットは、形状拘束により確実にケーシングに固定され、回動またはずれに対し防止される。締付け金具に対する案内管の回動またはずれは、両者の間の良好な結合作用により永続的に防止される。形状拘束的な結合を本発明にしたがって構成することにより、特別の工具なしで簡単な交換が可能である。原動機ケーシングに締付け金具を形状拘束的に固定することは、案内管の結合ねじ止め部の範囲で行うのが有利である。
ケーシングは、案内管の方向にあるその正面側端部に締付け金具の取付け具を収納する適宜の凹所を有する。同時に、取付け具により締付け金具を案内管に確実に結合することが簡単な手段で与えられ、その際半径方向に突出しかつケーシングの凹所内に位置する取付け具は同時に形状拘束的な回動阻止部をも形成する。この場合、回動阻止部は付加的な装置なしに達成される。正面側ケーシングにおける凹所は、正面側端部の方向に開口しているのが有利であり、それにより取付け具は、その組み立てのために、ケーシングを分解することなしに正面側から対応する収納部内に押し込むことができる。取付け具は締付けボルトを通すための孔を有し、これにほぼ同軸に整列して少なくとも１個の、有利には２個の開口部が締付けボルトの端部を収納するためケーシングに設けられているので、締付けボルトは締付け金具の組み込み後にケーシングの両開口部ならびに取付け具の対応する孔を通して締め付けまたはねじ込むことができる。その際、ケーシングの開口部内に位置する締付けボルトの両端部は形状拘束的に保持され、上に述べた形状拘束的回動防止に付け加えて、軸方向のずれに対する防止のための形状拘束的結合をも形成する。
【０００８】
締付け金具が、１個または数個の縦スリットを備えたほぼ円筒状の取付スリーブとして構成され、縦スリットの側方に２個の取付け具が設けられ、凹所がケーシングの正面側端部で開口しているのが有利である。
【０００９】
弾性減衰要素の１部は、締付けボルトの端部を囲む減衰ブッシュの形式に構成するのが有利である。それによって、締付け金具の原動機ケーシングへの形状拘束的結合の簡単な手段により、案内管に関し周方向および縦方向の振動の有効な減衰が与えられる。減衰ブッシュは該減衰ブッシュに周方向に延びるように設けた軸つばを備え、この軸つばにより形状拘束的にケーシングに固定されるのが有利である。それにより、減衰ブッシュは簡単に組み立てることができ、そして締付けボルトの解除時に外れ落ちないように保証される。減衰ブッシュは、締付け金具の取付け具が減衰ブッシュの端面側および特にその軸つばの端面側に平面的に接合するように配置されるのが有利である。それにより、力を伝達する中間要素の必要がなく、良好な減衰作用の他に案内管のケーシングへの比較的強固な結合も与えられる。
【００１０】
簡単なかつ有利な構成において、締付けボルトはヘッドとナットを有するねじとして構成される。その場合両減衰ブッシュには、特に鋼よりなるそれぞれ１つの金属スリーブがヘッドまたはナットの収納のために設けられている。鋼製スリーブは製作が簡単かつ廉価であり、そして締付けボルトと減衰ブッシュとの間の過度の面加圧を防止する。有利な構成において、スリーブは互いにほぼ平行である２つの平坦部を有し、これら平坦部の間にナットが回動不可に保持されている。この結果、ねじとして構成された締付けボルトはそのヘッドにおいてのみ適宜の工具でまわせばよく、ナットを別の工具により保持する必要はない。このような構成により、製造の自動化および必要な場合損傷した案内管または抗振動ユニットの交換が簡単になる。別の有利な構成において、スリーブとナットを一体的に構成することも可能であり、それによって組み立てるべき部品の数が減少する。スリーブは端面側に保持スリットを有し、これに必要に応じねじ回しを差込み可能とする。これにより、例えばねじ山が固く錆付いたとき、締付けボルトのねじ結合を解除することができ、前記のねじ山によりスリーブの回動が困難になるということはない。スリーブに、特に一体成形の六角形の形式の回動防止装置を設けるのが有利である。このような回動防止装置は、弾性減衰スリーブにまたは締付け金具の対応する六角形状凹部にあり、それによって締付けボルトの組み立て時に生起する回転モーメントが受け止められる。有利な変形例では、スリーブにヘッド付ナットを押し込み、その際回動防止装置がヘッド付ナットのぎざぎざを付けたまたは波形を付けたつばにより形成される。
【００１１】
抗振動ユニットおよび付属の減衰要素の別の部分として、取付スリーブが減衰スリーブにより囲まれ、この減衰スリーブがケーシングの対応する案内管用収納部内に接合するのが有利である。それにより、上に述べた回動減衰および縦振動減衰の他に、有効な曲げ振動減衰も与えられる。その場合、減衰スリーブは締付け金具の取付け具を囲む凹部を有するのが有利である。取付け具の範囲に締付け金具と案内管との間に結合作用が生ずるので、この場合案内管からの力の伝達は、取付け具の範囲の締付け金具によりおよび同じくこの範囲の減衰スリーブにより直接に原動機ケーシングに与えられる。このような配置により、同じく良好な減衰作用ならびにケーシングへの案内管の比較的強固な従って正確な結合が達成可能である。組み立てを簡単にするため、減衰スリーブは半径方向に外方へ突出する突部を有し、これが取付け具を収納するためのケーシングの凹部内に突入し、それにより減衰スリーブの回動を防止している。
【００１２】
有利な構成において、取付スリーブは原動機の方向に取付け具の範囲を超えて延びている。この範囲において結合作用は小さいが、しかし延びた構成により組み立て時におよび運転時にも案内管の確実なガイドが与えられる。この場合、両取付け具の間に縦スリットが取付スリーブの全長に亘り延びるのが有利であり、それにより組み立てが著しく簡単化される。かくすることにより、先ず減衰スリーブを、続いて取付スリーブを原動機ケーシング内に挿入し、取付スリーブを両取付け具に押し当てて所定位置に押し込む可能性が与えられる。引き続いて、例えばねじ回しを用いてまたは自動化された工程でも、縦スリットを減衰スリーブの弾性力に抗して広げることができるので、力を用いることなしに案内管を取付スリーブ内に挿入することができる。
【００１３】
締付け金具は、一体的にかつ特に鋼板より製作するのが有利である。それにより、製作が廉価であるとともに、案内管の確実な結合も与えられる。その理由は、１つには鋼板はある程度案内管に密着することができ、他方において材料内にクリープ事象がないので生成した結合応力が永続的に保持されるからである。その場合、取付け具は補強溝を備えるのが有利であり、それにより１つには取付け具の鋼板を薄くして、案内管への所望の密着を達成することが可能となる。他方において、取付け具は補強溝により充分に補強されているので、締付けボルトにより締め付け力を付加した場合取付け具が撓むことはない。
【００１４】
減衰要素、特に減衰ブッシュならび減衰スリーブが、それぞれ内側および外側に縦溝を備えるのが合目的である。これらの縦溝により、弾性材料は負荷の場合溝の方向によけることができるので、組み立て状態においても弾性減衰材料の変形性が保証される。この効果を助長するため、内外側の各縦溝は周方向に互いにずれて配置されている。
【００１５】
弾性減衰要素は、適宜の剛性を有するのが合目的である。特に減衰スリーブおよび減衰ブッシュのそれぞれの剛性が互いに関係なく適正とすることができ、それにより各種の形式の縦振動、回転振動、曲げ振動を最適に減衰する可能性が与えられる。その場合、適宜のショア硬度を選択することが合目的であることが判っている。
【００１６】
【発明の実施の態様】
以下に、本発明の実施例を図面により詳細に説明する。
図１は、携帯ベルト４０により刈払機を担持しかつハンドル４２の各端部にある２つの取手４３を介して刈払機を操作する操作者４１を示す。ハンドル４２は、駆動軸３が装着された案内管２に固定されている。操作者４１の範囲にて案内管２に、図示しない駆動原動機１用ケーシング５が配置されている。駆動原動機１は、駆動軸３および伝導ヘッド４４を介して回転可能な工具４を駆動する。工具４は、操作者４１を介して取手４３とハンドル４２とによりほぼ二重矢印４５の方向に操作される。
【００１７】
図２に示す分解斜視図は、案内管２とケーシング５との間の結合位置範囲における図１の刈払機の主要部品を示す。内部に駆動軸３を回転可能に装着した案内管２の原動機側端部は、抗振動ユニット６によりケーシング５の収納部４６に固定される。抗振動ユニット６は、案内管２用締付け金具７を有する。締付け金具７は、案内管２を囲みかつ全長に亘り延びる縦スリット１１を具備する取付スリーブ１０からなる。縦スリット１１の両側にそれぞれ１つの孔１５を有する２個の取付け具１２が設けられている。締付け金具７は、締付けボルト１６により締め付け可能である。締付けボルト１６は、高速締め付け機構、トグルリンク等を備えるボルトとすることができ、そして図示の実施例では、ヘッド２５とナット２６とを有するねじ２４である。締付けボルト１６は、減衰ブッシュ２１の形式の弾性減衰要素９を中間挿着の下に、取付け具１２の両側に配置されたそれぞれ１つのスリーブ２７を通して挿入されている。ナット２６の側のスリーブ２７は２つの平坦部２８を有し、これら平坦部２８の間にナット２６が形状拘束的に相対回転不能に保持されている。このスリーブ２７は、端面側端部にねじ回し等のための２つの保持スリット２９を有する。両減衰ブッシュ２１は、取付け具１２の方に向いたその側に、取付け具１２に接合するためのかつケーシング５に形状拘束的に固定するためのそれぞれ１つの軸つば２２を有している。
【００１８】
取付スリーブ１０とケーシング５の収納部４６の表面との間に、ほぼ円筒状の弾性減衰スリーブ３２の形式の別の弾性減衰要素８が配置され、その長さは取付スリーブ１０の長さにほぼ対応する。減衰スリーブ３２は、両取付け具１２用の凹所３３を有する。減衰スリーブ３２は、内側３８および外側３９に周方向に互いにずれて配置されるている縦溝３６、３７をそれぞれ備えている。同じように、両減衰ブッシュ２１は内外側縦溝３６、３７を備えている。減衰ブッシュ２１および減衰スリーブ３２は弾性的合成物質よりなるようにすることができ、図示の実施例では適宜のショア硬度を有するゴムよりなる。
【００１９】
ケーシング５は、その正面側端部１３に案内管２とともに抗振動ユニット６を収めるための収納部４６を有する。さらに正面側端部１３には、取付け具１２用の凹所１４ならびに締付けボルト１６の両端１９、２０用の２つの開口部１７、１８が設けられている。
【００２０】
図３は図２の装置の縦断面図であり、ケーシング５内に破線で示す案内管２とともに抗振動ユニット６が保持されている。図示しない駆動軸３の駆動のため、駆動スリーブ４８を具備する詳しくは図示しない遠心クラッチのクラッチ鐘状体４７が設けられ、球軸受け４９に回転可能に装着されている。球軸受け４９の範囲に、減衰スリーブ３２用および締付け金具７用の縦ストッパ５０が設けられている。減衰スリーブ３２は、この範囲にて、締付け金具７または案内管２と縦ストッパ５０との間の縦方向における弾性中間層として、半径方向に内方に延びるつば５１を有する。減衰スリーブ３２および締付け金具７は、別個の部品として構成されている。好都合な構成では、減衰スリーブ３２が締付け金具７の取付スリーブ１０に加硫により取り付けられる。ケーシング５内の凹所１４は正面側端部で開放しており、取付け具１２ならびに減衰スリーブ３２の突部３４を収納する。
【００２１】
図４は、図３に記入の線ＩＶ−ＩＶによる図３の横断面図である。締付け金具７がケーシング５内に形状拘束的に固定されており、ケーシング５内には両取付け具１２が凹所１４（図３）内に、そして締付けボルト１６の両端１９、２０がケーシング５内の各開口部１７、１８内に保持されている。両スリーブ２７はそれぞれ減衰ブッシュ２１により囲まれており、その場合減衰ブッシュ２１はスリーブ２７にも加硫により取り付けることができる。減衰ブッシュ２１はケーシング５内に形状拘束的に固定され、ケーシング５内ではそれらの各軸つば２２がケーシング５の縁部５２に係止している。両取付け具１２は、減衰ブッシュ２１の軸つば２２の範囲にてそれぞれの端面側に平面的に接合している。
【００２２】
図５は、上に説明した図の締付け金具７の詳細を示す斜視図である。両取付け具１２は、孔１５のそれぞれ両側に補強溝３５を有する。両取付け具１２の間に縦方向に通る縦スリット１１は、クラッチ鐘状体４７の方向を指す端部（図３）に掛金５３の形式に拡大されている。別の掛金５３が、半径方向に対置して取付スリーブ１０に設けられている。２つ以上の掛金５３を設け、それにより取付スリーブ１０を対応する数の部分に分割するのが有利である。締付け金具７は、鋼板より一体的に製作されている。
【００２３】
図６は、図２のスリーブ２７の変形例を示す斜視図であり、スリーブ２７はナット２６と一体的に構成されている。このため、周囲部５４により囲まれる底部５５にねじ孔５６が設けられている。底部５５の対向側にある周囲部５４の端部には、ねじ回し等のための保持スリット２９が゛交差して配置されている。
【００２４】
スリーブ２７の別の変形例が図７に示されており、スリーブ２７はプレス鋼材より形成され、周囲部５４および底部５５を備えている。底部５５には、ねじ孔５６を形成するねじ付折曲げ５７が設けられている。スリーブ２７の別の変形例が図８および図９に示されており、このスリーブ２７では、ねじ孔５６の範囲にて底部５５の正面側に一体成形の六角形３１の形式の回動防止装置３０が設けられている。
【００２５】
図１０はスリーブ２７の変形例を示し、このスリーブ２７では、底部５５の対向側にて周囲部５４が折り曲げられてつば５８となっている。この変形例では、減衰ブッシュ２１が管状押出し加工品として構成され、スリーブ２７につば５８に接合して前もって組み付けられる。つば５８は、組み立ての際押し込みの途中で減衰ブッシュ２１がずれるのを防止し、そして組み立てた状態で減衰ブッシュ２１が外れないようにする。
【図面の簡単な説明】
【図１】刈払機の操作を上から見た図である。
【図２】案内管の原動機ケーシングへの結合範囲における図１の刈払機の各部品の分解斜視図である。
【図３】組み立て状態における図２の装置の縦断面図である。
【図４】図３の線IV−IVによる横断面図である。
【図５】部品としての締付け金具の斜視図である。
【図６】締付けボルトを収納するスリーブの斜視図である。
【図７】プレス加工した鋼板からなる図６のスリーブの変形例の横断面図である。
【図８】回動防止装置を具備する図６および図７のスリーブの別の変形例の横断面図である。
【図９】図８のスリーブの正面側の図である。
【図１０】つばを備えるスリーブおよび押し込んだ減衰ブッシュの横断面図である。
【符号の説明】
１          駆動原動機          ２          案内管
３          駆動軸              ４          工具
５          ケーシング          ６          抗振動ユニット
７          締付け金具          ８、９      弾性減衰要素
１０        取付スリーブ      １１        縦スリット
１２        取付け具          １３        正面側端部
１４        凹所              １５        孔
１６        締付けボルト      １７、１８      開口部
１９、２０    締付けボルトの端部
２１        減衰ブッシュ      ２２        軸つば
２３        減衰ブッシュの端面側
２４        ねじ              ２５        ヘッド
２６        ナット            ２７        スリーブ
２８        平坦部            ２９        保持スリット
３０        回動防止装置      ３２        減衰スリーブ
３３        凹所              ３４        突部
３５        補強溝            ３６、３７        縦溝
３８        内側              ３９        外側
【図１】
0003833079.tif 000002
【図２】
0003833079.tif 000003
【図３】
0003833079.tif 000004
【図４】
0003833079.tif 000005
【図５】
0003833079.tif 000006
【図６】
0003833079.tif 000007
【図７】
0003833079.tif 000008
【図８】
0003833079.tif 000009
【図９】
0003833079.tif 000010
【図１０】
0003833079.tif 000011